(57)【特許請求の範囲】
【請求項１】
手押し用のハンドル１と介護いすBを載せるリフトプレート２が装備されている台車に車輪を前部に２つの車輪８、後部に前輪より大きい２つの車輪９を装備されている、該リフトプレート２を支え、昇降させるためにスライドガイド複数本５が設けられリフトプレート２を保持し、スライドガイド５を上下させるトルグリンク６と該トルグリンク６とが「くの字」に曲げたり、伸ばす機構をトルグリンク６の下部の中央に操作用レバー３が設けてあり、該レバー３を上下する昇降付介護移動車Aであって、前記介護移動車Aで被介護者１４が腰掛けた介護いすBをすくってリフトプレート２に載せると介護いすBのハンドル１側の脚部２本１３が介護用移動車Aに設けられた脚固定ストッパー４で介護いすBが固定され、介護いすBは介護用移動車Aで四方からすくえる機構で、離脱可能な背もたれ１０と一対の肘掛１１を構成する介護いすBを所有した昇降付介護用移動車。
【発明の詳細な説明】
【技術分野】
【０００１】
行動不能老人や行動不能被介護者を移動させる車椅子がベットから車椅子へ、又は、車椅子からトイレ便座へなど介護師の人体重量の移動の簡略化を図ったものである。
【背景技術】
【０００２】
行動不能老人や行動不能被介護者をベットから車椅子に移動させる場合は、介護師が抱かかえて車椅子に移動させていた。介護師の中には、老人の介護師や女性の介護師が中には介護師より重量的に大きい被介護者を抱き抱えて、ベットから車椅子或は逆の場合もあり、介護師にとっては、何十人／日移動させているが、大変な重労働である。本発明は、被介護者の移動を抱きかかえるのでなく、被介護者の移動の軽減を図ったものである。
【０００３】
従来は、利用者が車いすから例えばベットのような対象物に対して直接乗り移ったり、対象物から車いすに直接着座でき、しかも利用者が車いすの座面に座ったままで容易に排泄行為を行える車いすで、蓋台フレームに対して固定された左右の側部フレームの間に設けられて利用者を座らせて利用者が排泄する際には便器に対して開口する貫通穴を有する座画部と、左の背もたれフレームと右の背もたれフレームとの間に配置され利用者の背中を保持して利用者が車いすからベッドに対して乗り移る際回転することで開閉可能な背もたれ部と、基台フレームと左右の側部フレームの間に、対象物を座面部に対応する位置まで進入させる為に開放部とを備える。（特開２０１０−９９１５８）
【０００４】
その他の先行技術として、利用者を水平に保持してストレチャーとして用いることができるだけでなく、利用者の姿勢の自由度を上げて快適に座れる車いすを提供する。この解決手段で蓋台フレームと、蓋台フレームに対して固定された左右の側部フレーム間に設けられて利用者を座らせて、利用者が排泄をする際には便器に対して開口する貫通穴を有する座面部と、利用者の脚部を持ち上げるために座面部に対して任意の角度で傾斜して保持可能な脚部持ち上げユニットと、利用者の背中と頭部を支えるために座面部に対して任意の角度で傾斜して保持可能な背もたれユニットと、を備える。（特開２０１０−９９１８０）
【０００５】
その他の先行技術としては、椅子又は車いすの座の昇降動作を、小型の昇降装置もしくは、非電動式の簡易な機構で行えるようにして、従来の椅子等より軽量で、かつ、製造コストの安い椅子等を提供する。
【０００６】
それは、椅子等の前後方向における前例に配置した前側リンクと後側に配置した後側リンクを設け、前記前側リンクの下端と前記後側リンクの下端を椅子等の固定部材に回転可能に連結し、前記前側リンク上端と前記後側リンクの上端を上端リンクの上端を上側リンクに回転可能に連結し、前記前側リンク又は後側リンクを折曲可能にしたリンク機構を備え、該リンク機構により座を昇降可能にし、該座の昇降途中で前記折曲可能なリンクの回動中心が変位する。（特開２００８−７９６２８）
【０００７】
【特許文献１】特開２０１０―９９１５８
【特許文献２】特開２００８−９９１８０
【特許文献３】特開２００８−７９６２８
【発明の開示】
【発明が解決しようとする課題】
【０００８】
以上述べたように、車いすは、排泄用に改造されたものや、専用椅子の改良が多く、ベットから、車いすに移動させるのに、車いすがストレッチャーのように平らになり、平らになった面に人体が移動し易く角度を設けられるようになっている。その他としては、車いすの座が昇降するように改良されているが、コスト面で安価に製作可能とされているが、昇降機能が複雑なために部品点数が多くなり、コストが安価であると言い難い。尚、昇降手段も安易でなく、介護者が昇降機構を使用しなくなる可能性がある欠点が考えられる。
【０００９】
現実に、介護施設や老人ホーム等で良く観察してみると、ベットから車いすに移動させ、他の被介護者が集まっている場所に行くと被介護者を通常の簡易椅子に移動させそのままで、介護者は、車いすは部屋の隅の方へ移動保管させている。そして、被介護者が、トイレや他部署へ移動したい時は、又介護師が抱き抱えて車いすに移動させ、目的の場所に移動させると、又、車いすから抱き抱えて簡易椅子に座らせている。終日、介護師は、車いすに抱き抱えて乗せたり、降ろしたりの繰り返しで、車いすから介護者を簡易椅子に座らせたら、車いすは不要で部屋の片隅へたたんで保管している。車いすは全くの被介護者の移動だけなら、以下述べる本発明が、被介護者が椅子に座っている状態の目覚めている昼間は、介護師が被介護者を抱えて車椅子へ載せたり、降ろしたりすることない。
【００１０】
本発明で、解決しようとする課題は、車いすは、現実には、主に、移動手段に使用され、その都度、介護師が被介護者を抱き抱えて、車いすに乗せたり降ろしたりである。そこで、本発明の通常の簡易椅子に座っている被介護者を、介護用移動車Ａに乗せかえることなくそのまま移動させられるようにした。しかし、椅子にキャスター等を設け椅子ごと被介護者を移動させるには、数メートルの短距離なら良いが、長距離等は、返って介護師に負担がかかる。
【００１１】
従って、本発明は、被介護者が介護いすＢ、或は、安価な介護いすＢに座ったまま容易に介護いすＢごと介護用移動車Ａで移動可能にしたものである。
【課題を解決するための手段】
【００１２】
手押し用のハンドル１と介護いすＢを載せるリフトプレート２が装備されている台車に車輪を前部に２つの車輪８、後部に前輪より大きい２つの車輪９を装備されている、該リフトプレート２を支え、昇降させるためにスライドガイド複数本５が設けられリフトプレート２を保持し、スライドガイド５を上下させるトルグリンク６と該トルグリンク６とが「くの字」に曲げたり、伸ばす機構をトルグリンク６の下部の中央に操作用レバー３が設けてあり、該レバー３を上下する昇降付介護移動車Ａであって、前記介護移動車Ａで被介護者１４が腰掛けた介護いすＢをすくってリフトプレート２に載せると介護いすＢのハンドル１側の脚部２本１３が介護用移動車A
Ａに設けられた脚固定ストッパー４で介護いすＢが固定され、介護いすＢは介護用移動車Ａで四方からすくえる機構で、離脱可能な背もたれ１０と一対の肘掛１１を構成する介護いすＢを所有した昇降付介護用移動車である。
【発明の効果】
【００１４】
被介護者の行動から朝起きて、ベットから車いすに移動してから、昼寝時間まで、ほとんど、ベットに帰ることなく、８０％は、介護いすＢに座っていて、トイレに行ったり、食堂やケアー、お遊び時間などは、ずーと、座椅子Ｂに座っている時間で、移動する時、車いすに乗ったり、降りたりするだけに車いすを使用している、該車いすの乗り、降りに介護師の労力に負担が掛かっていたが、介護用移動車Ａを使用することにより、被介護者が介護いすＢに座ったままで、介護用移動車Ａで座椅子Ｂ毎被介護者をすくって目的地へ被介護者を抱き抱えることなく座椅子Ｂ毎移動させることができ、介護師の負担も多いに軽減できる。
【００１５】
更に、車いす、は今まで、被介護者に一台車いすが必要であったが、介護いすＢだけ被介護者に一脚あれば良いので、介護用移動車Ａが数台で十分足りる。
【００１６】
尚、介護いすＢは、背もたれ１０や肘掛１１が装備され被介護者が座っていてもゆったりとすることが出来る。そして、この介護いすＢは、介護用移動車Ａで、前後、左右からすくえることが可能であり、被介護者の座っている方向によっては、被介護者が難しい場合は、背もたれ１０も肘掛１１も取り外し、差し込むだけで簡単に取り付けることも可能であり、被介護者が、入浴場や便所に行っても、背もたれ１０や肘掛１１を取り外せば、被介護者の方向転換することなく移動が容易になる効果が認められる。
【発明を実施するための最良の形態】
【００１７】
以下、本発明の実施の形態を図１〜図２に基づいて説明しますと、図１は、介護用移動車Ａの全体斜図を現したものである。通常の車椅子と違うのは、被介護者が座るようになっていないし、介護師がコントロール可能な高さが約７００〜９００ミリメートルのハンドル１に後述の介護いすＢを載せるリフトプレート２に該リフトプレート２を保持し、上下にスライド可能なように複数のスライドガイド５を設け、該スライドガイド５とリフトプレート２を昇降させるレバー３が設けられ、昇降時に操作するレバー３のトルク重量は２〜３キログラムで、該昇降機能付の介護用移動車Ａに被介護者が介護いすＢごと介護用移動車Ａに載って、前後に折りたたみ機能が付いたステップ７の幅より内側位置に被介護者の足が前輪８に巻き込まれ無い様に直径が約１００〜１５０ミリメートルの前輪８を左右に２つ設け、後部には横ぶれ転倒を防止するため介護用移動車Ａの横幅より広目で介護師がコントロールが容易な様に前輪より大きい直径が約２５０〜３００ミリメートルの後輪９を２つ設け、介護用移動車Ａの底部が床面より約１００ミリメートル隙間があるように設計され、介護いすＢをリフトプレート２に載せると介護いすＢの脚１３に該脚１３の半径の切り欠ぎがある固定用脚ストッパー４によりスプリング力でキャッチングして介護いすＢを固定する仕組みになっている。該介護用移動車Ａは、大方の部品はアルミニューム材で製作され、全体の介護用移動車Ａの軽量化を図っている。
【００１８】
図２は、前記介護用移動車Ａとセットで使用するもので、被介護者が座る介護いすＢである。座り易さを向上させるために、背もたれ１０もアルミニューム製で、少し弾力性を加味している、肘掛１１もアルミニューム製で肘を乗せる部分は心材が発泡材の軟質プラスチック表皮で被い安全とソフト感を設け、長時間被介護者がリラックスして座れるように人間工学的に対応したものであり、機構的には、３２φのアルミニューム製パイプをベンダーで曲げて形成してコスト低減を図り、約５００×５００×５００ミリメートル位で座面も長時間座れるようにソフト感を出している。該介護いすＢは、被介護者の座っている状況や移動場所によっては背もたれ１０や肘掛１１が邪魔になる場合があれば、容易に脱着可能に製作されている。
【００１９】
図３は、介護用移動車Ａと介護いすＢの対応を現した図で、介護用移動車Ａを介護いすＢに挿し込む様子を現した図である。この時は、介護用移動車Ａの昇降レバー３で、リフトプレート２は最下部まで下がった状態で介護いすＢの下側にリフトプレート２が挿し込めるようになっている。
【００２０】
図４は、前記に続いて、介護用移動車Ａを介護いすＢに挿し込んで昇降レバー３で介護いすＢを上に上げた状態を現した図である。この時、介護いすＢをリフトプレート２に載せた時と同時に介護いすＢの脚１３は、介護用移動車Ａに設けられている固定脚ストッパー４で固定され、介護用移動車Ａで走行中でも、脱落しないように固定されている。
【００２１】
図５は、被介護者が介護いすＢに座った状態で、介護用移動車Ａのリフトプレート２にのせ上にあげている状態を現している。被介護者が介護いすＢに座って、介護用移動車Ａのリフトプレート２で上にあがっても、背もたれ１０や肘掛１１が装備されているので、被介護者は少しも恐怖感や不安感は感じることはない。
【００２２】
図６は、被介護者が介護いすＢに座っている時に、被介護者の正面から、介護用移動車Ａですくった状態である。これは、介護いすＢがサイズ的に前後左右に介護用移動車Ａを差し込めるように予め製作したものである。又、該介護用移動車Ａは、通常の簡易パイプ椅子にでも挿し込みすくって移動可能な機構を考慮している。
【００２３】
さらに、前記の状況で移動目的場所に行って、介護用移動車Ａを回転させたり、方向を変えたりし難い場所でも、そのまま、被介護者が座った介護いすＢを乗せたまま介護用移動車Ａを目的場所に行って、被介護者が狭い場所での方向転換することなく座った介護いすＢを降ろし、或は、まだ、介護用移動車Ａに乗ったままの時、被介護者の位置によっては、背もたれ１０や肘掛１１が邪魔になれば、簡単に引き抜き脱着可能に設計されている、前記の逆の場合でも同様な操作が可能な様になることを現したものが、図７、図８である。まだ、介護いすＢの座面１２を回転可能にするとまだ機能性が増長される特徴がある。
【図面の簡単な説明】
【００２４】
【図１】介護用移動車の全体斜図
【図２】介護いすの全体斜図
【図３】介護いすに介護用移動車を挿し込まんとした斜図
【図４】介護いすを介護移動車にのせた斜図
【図５】被介護者が座った介護いすを介護用移動車が後部より差し込んだ側面図。
【図６】被介護者が座った介護いすを介護用移動車が正面から差し込んだ側面図
【図７】被介護者が座って背もたれや肘掛が脱着状況の斜図
【図８】反対側から被介護者が座って背もたれや肘掛が脱着状況の斜図
【符号の説明】
【００２５】
Ａ      介護用移動車
Ｂ      介護いす
１      ハンドル
２      リフトプレート
３      昇降レバー
４      固定用脚ストッパー
５      スライドガイド
６      トグルリンク
７      ステップ
８      前輪自在キャスター
９      後輪固定キャスター
１０    背もたれ
１１    肘掛
１２    座面
１３    脚
【図１】
0005139553.tif 000002
【図２】
0005139553.tif 000003
【図３】
0005139553.tif 000004
【図４】
0005139553.tif 000005
【図５】
0005139553.tif 000006
【図６】
0005139553.tif 000007
【図７】
0005139553.tif 000008
【図８】
0005139553.tif 000009